(57)【要約】  【課題】  バッテリを充電するために充電器に挿入する必要をなくすことができる入力デバイス等を提供する。  【解決手段】  マウス６は、入力部１０と、ＵＳＢコネクタ２１と、レシーバ７との間にＵＳＢケーブル８が接続されている場合に入力信号をレシーバ７に出力する有線インタフェース部２２と、バッテリ２４と、バッテリ２４の充電を行うための充電部２３と、レシーバ７との間にＵＳＢケーブル８が接続されている場合に制御信号を活性化するためのケーブル検出部２５と、制御信号が活性化されていない場合に、入力信号をレシーバ７に送信するための無線通信部２７と、制御信号が活性化されている場合に、有線インタフェース部２２が出力する電力を入力部１０に出力し、制御信号が活性化されていない場合に、バッテリ２４に蓄電されている電力を入力部１０及び無線通信部２７に出力するための電力切換部２６とを具備する。【選択図】  図２
2005316859.tif 000002
【特許請求の範囲】
【請求項１】
ユーザの入力を受け付けるための入力デバイスであって、
外部装置とケーブルを介して接続されている場合に、前記外部装置から前記ケーブルを介して供給される電力を用いてユーザの入力を受け付けるとともにバッテリの充電を行い、前記外部装置と前記ケーブルを介して接続されていない場合に、前記バッテリに蓄電されている電力を用いてユーザの入力を受け付けることを特徴とする入力デバイス。
【請求項２】
前記外部装置と前記ケーブルを介して接続されている場合に、ユーザの入力に基づく入力信号を前記ケーブルを介して前記外部装置に出力し、前記外部装置と前記ケーブルを介して接続されていない場合に、前記入力信号を無線によって前記外部装置に出力する、請求項１記載の入力デバイス。
【請求項３】
マウス、キーボード、又は、ゲームパッドであることを特徴とする請求項１又は２記載の入力デバイス。
【請求項４】
ユーザが情報処理装置に入力を行うための入力装置であって、
ユーザの入力を受け付け、ユーザの入力に基づく入力信号を出力するための入力デバイスと、前記入力信号を受け取って前記情報処理装置に出力するためのレシーバとを具備し、
前記入力デバイスが、
ユーザの入力を受け付け、ユーザの入力に基づく入力信号を出力するための入力部と、
ケーブルの一端を接続するための第１のコネクタと、
前記第１のコネクタと前記レシーバとの間に前記ケーブルが接続されている場合に、前記ケーブルを介して前記レシーバから供給される電力を出力するとともに、前記入力信号を前記ケーブルを介して前記レシーバに出力する有線インタフェース部と、
充電可能なバッテリと、
前記有線インタフェース部が出力する電力を用いて前記バッテリの充電を行うための充電部と、
前記第１のコネクタと前記レシーバとの間に前記ケーブルが接続されている場合に第１の制御信号を活性化するための第１のケーブル検出部と、
前記第１の制御信号が活性化されていない場合に、前記入力信号を前記レシーバに送信するための第１の無線通信部と、
前記第１の制御信号が活性化されている場合に、前記有線インタフェース部が出力する電力を前記入力部に出力し、前記第１の制御信号が活性化されていない場合に、前記バッテリに蓄電されている電力を前記入力部及び前記第１の無線通信部に出力するための電力切換部と、
を具備し、
前記レシーバが、
前記ケーブルの他端を接続するための第２のコネクタと、
前記第２のコネクタと前記入力デバイスとの間に前記ケーブルが接続されている場合に第２の制御信号を活性化するための第２のケーブル検出部と、
前記入力信号を前記入力デバイスから受信するための第２の無線通信部と、
前記情報処理装置に接続され、前記第２のコネクタと前記入力デバイスとの間に前記ケーブルが接続されている場合に、前記情報処理装置から供給される電力を前記ケーブルを介して前記入力デバイスに出力するとともに、前記入力信号を前記ケーブルを介して前記入力デバイスから受け取って前記情報処理装置に出力し、前記第２のコネクタと前記入力デバイスとの間に前記ケーブルが接続されていない場合に、前記情報処理装置から供給される電力を前記第２の無線通信部に出力するとともに、前記入力信号を前記第２の無線通信部から受け取って前記情報処理装置に出力するためのインタフェース部と、
を具備する、入力装置。
【請求項５】
前記入力デバイスが、マウス、キーボード、又は、ゲームパッドであることを特徴とする請求項４記載の入力装置。
【請求項６】
前記情報処理装置が、パーソナルコンピュータ、携帯情報端末、又は、テレビゲーム装置であることを特徴とする請求項４又は５記載の入力装置。
【請求項７】
前記入力デバイスが、前記情報処理装置からの信号に従って振動するための振動部を更に具備する、請求項４〜６のいずれか１項に記載の入力装置。
【発明の詳細な説明】
【技術分野】
【０００１】
本発明は、ユーザの入力を受け付けるための入力デバイス及び入力装置に関する。
【背景技術】
【０００２】
ユーザがパーソナルコンピュータ等に入力を行うために、マウス等の入力装置が用いられている。更に、近年においては、電波又は赤外線により入力信号を伝達するコードレスマウスも用いられている（例えば、非特許文献１参照）。
非特許文献１に掲載されているコードレスマウスは、マウス本体部とレシーバー部によって構成されており、マウス本体部には、充電可能なバッテリが内蔵されている。マウス本体部は、このバッテリから電力の供給を受けて動作する。
【０００３】
しかしながら、非特許文献１に掲載されているコードレスマウスにおいては、マウス本体部に内蔵されているバッテリを充電するため、ユーザがマウス本体部を使用しないとき等に、充電機能を有するレシーバ部にマウス本体部を挿入する必要があった。
【０００４】
ところで、ＵＳＢソケットの端子Ｖｂｕｓに印加されている電圧値が所定値よりも大きいとき、端子Ｖｂｕｓによって受け取った電力をバッテリに送って充電を行い、端子Ｖｂｕｓに印加されている電圧値が所定値以下であるとき、端子Ｖｂｕｓによって受け取った電力を内部回路に給電する携帯情報端末装置等が知られている（例えば、特許文献１参照）。
【０００５】
しかしながら、特許文献１に掲載されたものは、携帯情報端末装置等であり、ユーザがパーソナルコンピュータ等に入力を行うための入力デバイス又は入力装置ではない。
【０００６】
【特許文献１】特開２００２−１６３０４４号公報
【非特許文献１】ＭＸ−７００  Ｃｏｒｄｌｅｓｓ  Ｏｐｔｉｃａｌ  Ｍｏｕｓｅ、［online］、株式会社ロジクール、２００４年、［平成１６年４月５日検索］、インターネット＜URL:http://www.logicool.co.jp/products/c_mouse/mx_700.html＞
【発明の開示】
【発明が解決しようとする課題】
【０００７】
そこで、上記の点に鑑み、本発明は、ケーブルを介して接続されている場合に、ケーブルを介して供給される電力を用いてユーザの入力を受け付けるとともにバッテリの充電を行い、ケーブルを介して接続されていない場合に、バッテリに蓄電されている電力を用いてユーザの入力を受け付ける入力デバイス及び入力装置を提供することを目的とする。
【課題を解決するための手段】
【０００８】
以上の課題を解決するため、本発明に係る入力デバイスは、ユーザの入力を受け付けるための入力デバイスであって、外部装置とケーブルを介して接続されている場合に、外部装置からケーブルを介して供給される電力を用いてユーザの入力を受け付けるとともにバッテリの充電を行い、外部装置と前記ケーブルを介して接続されていない場合に、バッテリに蓄電されている電力を用いてユーザの入力を受け付けることを特徴とする。
【０００９】
ここで、外部装置とケーブルを介して接続されている場合に、ユーザの入力に基づく入力信号をケーブルを介して外部装置に出力し、外部装置とケーブルを介して接続されていない場合に、入力信号を無線によって外部装置に出力することとしても良い。また、この入力デバイスが、マウス、キーボード、又は、ゲームパッドであることとしても良い。
【００１０】
また、本発明に係る入力装置は、ユーザが情報処理装置に入力を行うための入力装置であって、ユーザの入力を受け付け、ユーザの入力に基づく入力信号を出力するための入力デバイスと、入力信号を受け取って情報処理装置に出力するためのレシーバとを具備し、入力デバイスが、ユーザの入力を受け付け、ユーザの入力に基づく入力信号を出力するための入力部と、ケーブルの一端を接続するための第１のコネクタと、第１のコネクタとレシーバとの間にケーブルが接続されている場合に、ケーブルを介してレシーバから供給される電力を出力するとともに、入力信号をケーブルを介してレシーバに出力する有線インタフェース部と、充電可能なバッテリと、有線インタフェース部が出力する電力を用いてバッテリの充電を行うための充電部と、第１のコネクタとレシーバとの間にケーブルが接続されている場合に第１の制御信号を活性化するための第１のケーブル検出部と、第１の制御信号が活性化されていない場合に、入力信号をレシーバに送信するための第１の無線通信部と、第１の制御信号が活性化されている場合に、有線インタフェース部が出力する電力を入力部に出力し、第１の制御信号が活性化されていない場合に、バッテリに蓄電されている電力を入力部及び第１の無線通信部に出力するための電力切換部と、を具備し、レシーバが、ケーブルの他端を接続するための第２のコネクタと、第２のコネクタと入力デバイスとの間にケーブルが接続されている場合に第２の制御信号を活性化するための第２のケーブル検出部と、入力信号を入力デバイスから受信するための第２の無線通信部と、情報処理装置に接続され、第２のコネクタと入力デバイスとの間にケーブルが接続されている場合に、情報処理装置から供給される電力をケーブルを介して入力デバイスに出力するとともに、入力信号をケーブルを介して入力デバイスから受け取って情報処理装置に出力し、第２のコネクタと入力デバイスとの間にケーブルが接続されていない場合に、情報処理装置から供給される電力を第２の無線通信部に出力するとともに、入力信号を第２の無線通信部から受け取って情報処理装置に出力するためのインタフェース部と、を具備する。
【００１１】
ここで、入力デバイスが、マウス、キーボード、又は、ゲームパッドであることとしても良い。また、情報処理装置が、パーソナルコンピュータ、携帯情報端末、又は、テレビゲーム装置であることとしても良い。
また、入力デバイスが、情報処理装置からの信号に従って振動するための振動部を更に具備することとしても良い。
【発明を実施するための最良の形態】
【００１２】
以下、図面を参照しながら、本発明を実施するための最良の形態について説明する。なお、同一の構成要素には同一の参照符号を付して、説明を省略する。
図１は、本発明の第１の実施形態に係る入力装置を用いたシステムを示す図である。このシステム１は、コンピュータ本体２と、キーボード３と、ディスプレイ４と、本発明の第１の実施形態としての入力装置５とを具備する。
【００１３】
図１に示すように、入力装置５は、マウス６とレシーバ７とを含んでおり、マウス６は、第１ボタン部１１（ここでは、左ボタン）と、第２ボタン部１２（ここでは、右ボタン）と、ホイール部１３とを有する。
図２は、入力装置５の内部構成を示すブロック図である。図２に示すように、マウス６は、入力部１０と、ＵＳＢ（Universal Serial Bus）コネクタ２１と、有線インタフェース部２２と、充電部２３と、バッテリ２４と、ケーブル検出部２５と、電力切換部２６と、無線通信部２７とを具備する。レシーバ７は、ＵＳＢコネクタ３１と、ケーブル検出部３２と、無線通信部３３と、インタフェース部３４とを具備する。
【００１４】
マウス６内のＵＳＢコネクタ２１とレシーバ７内のＵＳＢコネクタ３１との間は、ＵＳＢケーブル８により接続可能である。なお、ＵＳＢコネクタ２１、３１の各々は、Ａタイプ、Ｂタイプのいずれであっても良い。
【００１５】
マウス６内の入力部１０は、先に説明した第１ボタン部１１、第２ボタン部１２、及び、ホイール部１３の他、マウス６がユーザによって移動された方向及び量を検出するためのセンサ部１４を具備する。センサ部１４は、例えば、発光部と光センサで構成することができる。
第１ボタン部１１、第２ボタン部１２、ホイール部１３、及び、センサ部１４は、ユーザの操作入力に応じた入力信号を生成して有線インタフェース部２２及び無線通信部２７に出力する。
【００１６】
ケーブル検出部２５は、ＵＳＢコネクタ２１とＵＳＢコネクタ３１との間がＵＳＢケーブル８によって接続されている場合に、制御信号を活性化して電力切換部２６及び無線通信部２７に出力する。
ＵＳＢの仕様においては、電力の供給が可能となっており、有線インタフェース部２２は、ＵＳＢコネクタ２１とＵＳＢコネクタ３１との間がＵＳＢケーブル８によって接続されている場合に、ＵＳＢケーブル８を介してレシーバ７から供給される電力の一部分を使用して動作する。さらに、有線インタフェース部２２は、ＵＳＢケーブル８を介してレシーバ７から供給される電力の他の部分を充電部２３及び電力切換部２６に出力する。また、有線インタフェース部２２は、ＵＳＢコネクタ２１とＵＳＢコネクタ３１との間がＵＳＢケーブル８によって接続されている場合に、入力部１０が出力する入力信号をＵＳＢコネクタ２１及びＵＳＢケーブル８を介してレシーバ７に出力する。なお、有線インタフェース部２２は、ＵＳＢコネクタ２１とＵＳＢコネクタ３１との間がＵＳＢケーブル８によって接続されていない場合には、電力の供給を受けず、動作を行わない。
【００１７】
バッテリ２４は、充電可能であり、充電部２３は、有線インタフェース部２２から電力の供給を受けている場合に、バッテリ２４の充電を行う。なお、充電部２３は、有線インタフェース部２２から電力の供給を受けていない場合、バッテリ２４の充電を行わない。
電力切換部２６は、ケーブル検出部２５が出力する制御信号が活性化されている場合に、有線インタフェース部２２が出力する電力を入力部１０に出力し、制御信号が活性化されていない場合に、バッテリ２４に蓄電されている電力を入力部１０及び無線通信部２７に出力する。入力部１０及び無線通信部２７は、電力切換部２６から供給される電力を使用して動作する。
【００１８】
無線通信部２７は、ケーブル検出部２５が出力する制御信号が活性化されていない場合に、電力切換部２６から供給される電力を使用して動作し、入力部１０が出力する入力信号をレシーバ７に無線送信する。なお、無線通信部２７は、電波、赤外線等を利用してレシーバ７に入力信号を送信することができる。
【００１９】
レシーバ７内のケーブル検出部３２は、ＵＳＢコネクタ２１とＵＳＢコネクタ３１との間がＵＳＢケーブル８によって接続されている場合に、制御信号を活性化してインタフェース部３４に出力する。
インタフェース部３４は、コンピュータ２（図１参照）のＵＳＢコネクタ又はＰＳ／２コネクタに接続されており、コンピュータ２から供給される電力の一部分を使用して動作する。
【００２０】
インタフェース部３４は、ケーブル検出部３２が出力する制御信号が活性化されている場合、コンピュータ２から供給される電力の他の部分をＵＳＢコネクタ３１及びＵＳＢケーブル８を介してマウス６に出力するとともに、入力信号をＵＳＢコネクタ３１及びＵＳＢケーブル８を介してマウス６から受け取ってコンピュータ２に出力する。このとき、インタフェース部３４は、無線通信部３３に電力を出力せず、無線通信部３３は動作を行わない。
一方、ケーブル検出部３２が出力する制御信号が活性化されていない場合、インタフェース部３４は、コンピュータ２から供給される電力の他の部分を無線通信部３３に出力する。無線通信部３３は、インタフェース部３４から供給される電力を使用して動作し、マウス６が無線送信する入力信号を受信してインタフェース部３４に出力する。インタフェース部３４は、入力信号を無線通信部３３から受け取ってコンピュータ２に出力する。
【００２１】
このように、マウス６は、マウス６とレシーバ７との間がＵＳＢケーブル８を介して接続されている場合、ＵＳＢケーブル８を介して供給される電力を用いてユーザの入力を受け付けるとともにバッテリ２４の充電を行う。一方、マウス６は、マウス６とレシーバ７との間がＵＳＢケーブル８を介して接続されていない場合、バッテリ２４に蓄電されている電力を用いてユーザの入力を受け付けることができる。これにより、ユーザが、マウス６を使用しないとき等に、バッテリ２４を充電するためにマウス６を充電器に挿入する必要をなくすことができる。
また、マウス６とレシーバ７との間がＵＳＢケーブル８を介して接続されていない場合、レシーバ７内の無線通信部３３への電力の供給を行わないため、消費電力を低減することができる。
【００２２】
なお、本実施形態は本発明をマウスに適用したものであるが、本発明をマウスのほか、キーボード、ゲームパッド等に適用することが可能である。また、本実施形態においては、レシーバ７をコンピュータ２に接続しているが、コンピュータ２のほか、携帯情報端末、テレビゲーム装置等の各種の情報処理装置に接続することが可能である。
【００２３】
次に、本発明の第２の実施形態について説明する。図３は、本発明の第２の実施形態としての入力装置４０の内部構成を示すブロック図である。
図３に示すように、入力装置４０は、マウス４１とレシーバ４２とを含んでいる。
マウス４０は、入力部１０と、ＵＳＢコネクタ２１と、有線インタフェース部４３と、充電部２３と、バッテリ２４と、ケーブル検出部２５と、電力切換部２６と、無線通信部２７と、振動部４４とを具備する。
レシーバ４２は、ＵＳＢコネクタ３１と、ケーブル検出部３２と、無線通信部３３と、インタフェース部４５とを具備する。
【００２４】
レシーバ４２内のインタフェース部４５は、先に説明したインタフェース部３４と同等の機能を有し、さらに、コンピュータ２から振動することを指示するための振動信号を受け取ると、ＵＳＢコネクタ３１及びＵＳＢケーブル８を介してマウス４１に出力する。
マウス４１内の有線インタフェース部４３は、先に説明した有線インタフェース部２２と同等の機能を有し、さらに、振動信号をＵＳＢコネクタ３１及びＵＳＢケーブル８を介して受け取り振動部４４に出力する。
【００２５】
振動部４４は、モータ等で構成されており、振動信号に従って振動する。これにより、ユーザは、ゲーム等をよりリアルに楽しむことが可能となる。
なお、ここでは、コンピュータ２が出力する振動信号をＵＳＢコネクタ３１〜ＵＳＢケーブル８〜ＵＳＢコネクタ２１〜有線インタフェース部４３を介して振動部４４に供給することとしているが、無線通信部３３〜無線通信部２７を介して振動部４４に供給することとしても良い。
【産業上の利用可能性】
【００２６】
本発明は、ユーザの入力を受け付けるためのマウス、キーボード、ゲームパッド等の入力デバイス及び入力装置において利用可能である。これらの入力デバイス及び入力装置は、パーソナルコンピュータ、携帯情報端末、テレビゲーム装置等に接続して使用することが可能である。
【図面の簡単な説明】
【００２７】
【図１】本発明の第１の実施形態に係る入力装置を用いたシステムを示す図。
【図２】本発明の第１の実施形態に係る入力装置の構成を示すブロック図。
【図３】本発明の第２の実施形態に係る入力装置の構成を示すブロック図。
【符号の説明】
【００２８】
１  システム、２  コンピュータ、３  キーボード、４  ディスプレイ、５、４０  入力装置、６、４１  マウス、７、４２  レシーバ、８  ＵＳＢケーブル、１０  入力部、１１  第１ボタン部、１２  第２ボタン部、１３  ホイール部、１４  センサ部、２１、３１  ＵＳＢコネクタ、２２、４３  有線インタフェース部、２３  充電部、２４  バッテリ、２５、３２  ケーブル検出部、２６  電力切換部、２７、３３  無線通信部、３４、４５  インタフェース部、４４  振動部
【図１】
2005316859.tif 000003
【図２】
2005316859.tif 000004
【図３】
2005316859.tif 000005